(57)【要約】【課題】  再送信装置の設置環境の変化を速やかに検知する。【解決手段】  支柱１０に取り付けられた受信アンテナ２で受信された高周波信号を支柱１０に取り付けられたヘッドアンプ４及び支柱２４に取り付けられたＭＣＰＡ６で増幅して、支柱２４に取り付けられた送信アンテナ６から送信する。ヘッドアンプ４及びＭＣＰＡ６に傾斜センサ１４、３０が設けられ、これらが、予め定めた基準傾斜と異なる傾斜を検出したとき、報知信号を送信機３６が送信する。【選択図】        図１
2012075029.tif 000002
【特許請求の範囲】
【請求項１】
高周波信号を受信する受信アンテナと、
この受信アンテナで受信された前記高周波信号を処理する処理手段と、
この処理手段の出力信号を送信する送信アンテナと、
前記受信アンテナ、前記処理手段及び前記送信アンテナの少なくとも１つの傾斜を検出する傾斜検出手段と、
前記傾斜検出手段が、予め定めた基準傾斜と異なる傾斜を検出したとき、報知信号を送信する送信手段とを、
具備する再送信装置。
【請求項２】
請求項１記載の再送信装置において、前記処理手段は、前記受信アンテナで受信した高周波信号を増幅する第１の増幅手段を有し、前記受信アンテナと前記第１の増幅手段とは、第１の支柱に取り付けられ、前記傾斜検出手段は、前記第１の増幅手段または前記第１の支柱に設けられた第１傾斜検出手段を有する再送信装置。
【請求項３】
請求項２記載の再送信装置において、前記処理手段は、前記第１増幅手段の出力信号を増幅して、前記送信アンテナに供給する第２の増幅手段を有し、前記送信アンテナ及び前記第２の増幅手段は、第２の支柱に取り付けられ、前記傾斜検出手段は、前記第２の増幅手段または前記第２の支柱に設けられた第２傾斜検出手段を有する再送信装置。
【請求項４】
請求項３記載の再送信装置において、前記第１の傾斜検出手段の出力信号と前記第１の増幅手段の出力信号とは、同一の伝送経路を介して前記第２の支柱側に伝送され、前記第１の増幅手段の出力信号は、前記第２の増幅手段に供給され、前記第１の傾斜検出手段の出力信号と前記第２の傾斜検出手段の出力信号とは、前記送信手段に供給される再送信装置。
【請求項５】
請求項１記載の再送信装置において、前記処理手段は、前記受信アンテナで受信した高周波信号を増幅して、前記送信アンテナに供給する増幅手段を有し、この増幅手段と前記送信アンテナとは、同一の支柱に取り付けられ、前記傾斜検出手段は、前記増幅手段または前記支柱に取り付けられている再送信装置。
【発明の詳細な説明】
【技術分野】
【０００１】
本発明は、例えば、ギャップフィラー装置のように、受信アンテナで受信した高周波信号を処理して、送信アンテナで再送信する再送信装置に関する。
【背景技術】
【０００２】
従来、ギャップフィラー装置には、特許文献１に開示されているように、ギャップフィラー装置での電波の送受信レベルなどをデータ収集部が定期的に収集し、その監視情報に基づいて異常が検出された場合、メール作成部が、異常の旨を伝えるための電子メールを中央管理センターに配信するものがある。
【先行技術文献】
【特許文献】
【０００３】
【特許文献１】特開２００３−５８２７号公報
【発明の概要】
【発明が解決しようとする課題】
【０００４】
特許文献１に開示されたギャップフィラー装置では、実際に電波の送受信レベルが異常とみなされるレベルに変化しない限り、異常との報知がなされない。しかし、ギャップフィラー装置を使用する際、その設置環境が変化することがある。例えばギャップフィラー装置を構成している送信アンテナや受信アンテナの姿勢が、地震などの災害の影響を受けて、本来の姿勢（基準姿勢）とは異なる姿勢になることがある。この場合、送信アンテナの送信レベルや受信アンテナの受信レベルが、異常とみなされるレベルまで変化していないので、異常との報知はなされないが、良好にギャップフィラー装置を動作させるためには、本来の姿勢に速やかに戻すことが望ましい。従って、本来の姿勢と異なる姿勢となっている場合に速やかに報知することが望まれる。
【０００５】
本発明は、設置環境の変化を検知することができる再送信装置を提供することを目的とする。
【課題を解決するための手段】
【０００６】
本発明の一態様の再送信装置は、受信アンテナで受信された前記高周波信号を処理手段で処理し、この処理手段の出力信号を送信アンテナで送信する。高周波信号としては、種々のものを使用することができ、例えば地上デジタルテレビジョン放送信号や、衛星デジタルテレビジョン放送信号等を使用することができる。受信アンテナ及び送信アンテナとしては種々のものを使用することができ、例えば八木アンテナやパラボラアンテナなどを使用することができ、また、受信アンテナと送信アンテナとの設置場所は、同一の場所とすることもできるし、異なった場所とすることもできる。処理手段としては、例えば高周波信号を増幅するものや、高周波信号の周波数を変換するもの等を使用することができる。前記受信アンテナ、前記処理手段及び前記送信アンテナの少なくとも１つの傾斜を傾斜検出手段が検出する。受信アンテナ及び送信アンテナにそれぞれ傾斜検出手段を設けることもできるし、これに加えて処理手段にも傾斜検出手段を設けることもできる。前記傾斜検出手段が、予め定めた基準傾斜と異なる傾斜を検出したとき、送信手段が報知信号を送信する。予め定めた基準傾斜と異なる傾斜としては、例えば、受信アンテナの場合、良好な受信レベルが得られる受信アンテナの基準角度と、受信不能となる受信アンテナの受信不能角度との間に許容傾斜角度を設定し、この許容傾斜角度を超えて受信不能角度に近い傾斜に受信アンテナがなった場合がある。送信アンテナにおける予め定めた基準傾斜と異なる傾斜としては、送信アンテナから送信された高周波信号を受信するアンテナでの受信レベルが良好となる送信アンテナの基準角度と、上記高周波信号を受信するアンテナで受信不能となる送信アンテナの受信不能角度との間に許容傾斜角度を設定し、この許容傾斜角度を超えて受信不能角度に近い傾斜に送信アンテナがなった場合がある。報知信号としては、例えば所定周波数の搬送波を所定の変調信号で変調したものを使用することもできる。
【０００７】
このように構成された再送信装置では、受信アンテナ、送信アンテナ及び処理手段のうち少なくとも１つの傾斜状態が変化している場合、環境変化が生じている可能性があり、これが報知信号の送信によって報知される。よって、環境変化が更に進行したことにより再送信装置における受信レベルや送信レベルに異常が生じる前に、正規の状態に速やかに復帰させることができる。
【０００８】
前記処理手段は、前記受信アンテナで受信した高周波信号を増幅する第１の増幅手段を有するものとすることができる。この場合、前記受信アンテナと前記第１の増幅手段とは、第１の支柱に取り付けられ、前記傾斜検出手段は、前記第１の増幅手段または前記第１の支柱に設けられた第１傾斜検出手段を有している。このように構成すると、第１の増幅手段と受信アンテナとは第１の支柱に取り付けられているので、第１の支柱または第１の増幅手段に設けた第１の傾斜検出手段の傾斜が基準傾斜と異なる場合には、支柱が傾斜しており、その結果、受信アンテナも傾斜していると判断することができ、速やかに正規の状態に第１の支柱を復帰させることができる。
【０００９】
更に、前記処理手段は、前記第１増幅手段の出力信号を増幅して、前記送信アンテナに供給する第２の増幅手段を有するものにすることができる。この場合、前記送信アンテナ及び前記第２の増幅手段は、第２の支柱に取り付けられている。前記傾斜検出手段は、前記第２の増幅手段または前記第２の支柱に設けられた第２傾斜検出手段を有している。この場合には、更に、第２の支柱が傾斜している場合にも、それを報知することができ、速やかに正規の状態に第２の支柱を復帰させることができる。
【００１０】
更に、前記第１の傾斜検出手段の出力信号と前記第１の増幅手段の出力信号とを、同一の伝送経路、例えば光ファイバや同軸ケーブルを介して前記第２の支柱側に伝送することができる。この場合、前記第１の増幅手段の出力信号は、前記第２の増幅手段に供給され、前記第１の傾斜検出手段の出力信号と前記第２の傾斜検出手段の出力信号とは、前記送信手段に供給される。このように構成すると、第１及び第２の支柱が異なる場所に設置されている場合でも、１台の送信手段によって第１及び第２の支柱の基準傾斜と異なる傾斜の発生を報知することができる。
【００１１】
また、上記の一態様において、前記処理手段を、前記受信アンテナで受信した高周波信号を増幅して、前記送信アンテナに供給する増幅手段を有するものとすることができる。この場合、前記増幅手段と前記送信アンテナとは、同一の支柱に取り付けられ、前記傾斜検出手段は、前記増幅手段または前記支柱に取り付けられている。このように構成すると、送信アンテナが設置されている支柱が基準傾斜と異なる傾斜となった場合に、この状態を速やかに報知することができる。
【発明の効果】
【００１２】
以上のように、本発明によれば、送信アンテナや受信アンテナの設置環境の変化を速やかに発見することができ、再送信の障害を未然に防止することができる。
【図面の簡単な説明】
【００１３】
【図１】本発明の一実施形態のギャップフィラー装置の構成図である。
【図２】図１のギャップフィラー装置のブロック図である。
【図３】図１のヤップフィラー装置における受信アンテナ２の基準角度、受信許容上下限傾斜角度及び第１傾斜許容上下限角度の関係を示す図である。
【発明を実施するための形態】
【００１４】
本発明の一実施形態の再送信装置は、いわゆるギャップフィラー装置で、図１に示すように、高周波信号、例えば複数チャンネルの地上デジタルテレビジョン放送信号を受信アンテナ２で受信し、これを処理手段、例えばヘッドアンプ４とＭＣＰＡ（Ｍｕｌｔｉ  Ｃｈａｎｎｅｌ  Ｐｏｗｅｒ  Ａｍｐｌｉｆｉｅｒ  マルチチャンネルパワーアンプ）６とで処理して、例えば増幅して、送信アンテナ８から送信するものである。
【００１５】
受信アンテナ２は、例えば八木形アンテナで、地上デジタルテレビジョン放送の送信源側を向くように、第１の支柱、例えば支柱１０の先端に取り付けられている。この支柱の中途に、ヘッドアンプ４が取り付けられており、図２に示すように、その内部に設けたヘッドアンプ本体１２において、受信アンテナ２で受信された複数チャンネルの地上デジタルテレビジョン放送信号を増幅する。
【００１６】
このヘッドアンプ４内には、第１の傾斜検出手段、例えば傾斜センサ１４が設けられている。この傾斜センサ１４によって検出された傾斜角度を表す傾斜信号は、Ａ／Ｄ変換器４０によってデジタル傾斜信号に変換されて、制御手段、例えばＣＰＵ１６に供給される。このＣＰＵ１６も、ヘッドアンプ４内に設けられている。ＣＰＵ１６は、傾斜センサ１４及びＡ／Ｄ変換器４０を介して供給されるデジタル傾斜信号が、基準傾斜と異なるか、例えば第１許容傾斜範囲内に存在するか否かを判定し、この第１許容傾斜範囲内から外れている場合、第１報知信号を出力する。
【００１７】
第１許容傾斜範囲は、例えば次のようにして設定されている。図３に示すように、良好に受信することができる受信アンテナ２の角度である基準角度が、基準線、例えば水平線に対して１０度であるとする。受信アンテナ２の水平面に対する角度がこれよりも小さくなると受信が全く不能となる受信許容下限傾斜角度が０度であるとする。受信アンテナ２の水平面に対する角度がこれよりも大きくなると受信アンテナ２で受信不能となる受信許容上限傾斜角度が２０度であるとする。基準角度と受信許容下限傾斜角度との間に、これよりも受信アンテナ２の水平面に対する角度が受信許容下限傾斜角度に近づくと、受信アンテナ２の傾斜を基準角度に戻すことが望ましい第１傾斜許容下限角度、例えば５度を設定する。同じく基準角度と受信許容上限傾斜角度との間に、これよりも受信アンテナ２の水平面に対する角度が受信許容上限角度に近づくと、受信アンテナ２の傾斜を基準角度に戻すことが望ましい第１傾斜許容上限角度、例えば１５度を設定する。第１傾斜許容下限角度と第１傾斜上限角度とによって第１傾斜許容範囲を規定する。
【００１８】
傾斜センサ１４によって検出された傾斜角度が、第１傾斜許容下限角度５度を超えて受信許容下限傾斜角度０度に近づくようにヘッドアンプ４自体が傾斜した場合、または傾斜センサ１４によって検出された傾斜角度が第１傾斜許容下限角度５度を超えて受信許容下限傾斜角度０度に近づくように支柱１０が傾斜し、その結果、受信アンテナ２及びヘッドアンプ４も大きく傾斜した場合、ＣＰＵ１６が第１報知信号を発生する。また傾斜センサ１４によって検出された傾斜角度が第１傾斜許容上限角度１５度を超えて受信許容上限傾斜角度２０度に近づくようにヘッドアンプ４自体が傾斜した場合、または傾斜センサ１４によって検出された傾斜角度が第１傾斜許容上限角度１５度を超えて受信許容上限傾斜角度２０度に近づくように支柱１０が傾斜し、その結果、受信アンテナ２及びヘッドアンプ４も大きく傾斜した場合、ＣＰＵ１６が第１報知信号を発生する。即ち、第１傾斜許容範囲を外れた傾斜角度を傾斜センサ１４が検出すると、第１報知信号が生成される。
【００１９】
ＣＰＵ１６には、リファレンススイッチ１８が設けられており、受信アンテナ２及びヘッドアンプ４の設置が終了した時点で、リファレンススイッチ１８を操作することによって、その操作されたときの傾斜センサ１４の傾斜信号が基準角度を表す第１基準角度信号としてＣＰＵ１６に付属する記憶手段、例えばメモリ（図示せず）に記憶される。この第１基準角度信号を基にして、第１傾斜許容上限角度及び第１傾斜許容下限角度が自動的に設定される。
【００２０】
ヘッドアンプ本体１２の出力信号（増幅された複数チャンネルの地上デジタルテレビジョン放送信号）と、ＣＰＵ１６からの第１報知信号を変調部４１でＦＳＫ変調またはＦＭ変調を行った変調信号とは、合成手段、例えば混合器２０で合成され、この合成信号は電気−光変換器４２で光信号に変換されて、伝送経路、例えば光ファイバ２２によってＭＣＰＡ６に伝送される。
【００２１】
ＭＣＰＡ６は、図１に示すように、支柱１０と離れて配置されている第２の支柱、例えば支柱２４の中途に取り付けられている。この支柱２４の先端には送信アンテナ８が取り付けられている。この送信アンテナ８は、所望の再送信エリアに各地上デジタルテレビジョン放送信号を送信可能な向きに支柱２４に取り付けられている。
【００２２】
光ファイバ２２によって伝送された光信号は、光−電気変換器４３によって元の合成信号に変換され分波器２６によって、増幅された複数チャンネルの地上デジタルテレビジョン放送信号と、変調信号とに分波される。増幅された複数チャンネルの地上デジタルテレビジョン放送信号は、ＭＣＰＡ本体２８に供給され、ここでチャンネルごとに分波され、チャンネルごとに所望のレベルに増幅され、再度合成され、送信アンテナ８に供給されて、送信アンテナ８から所望の再送信エリアに送信される。
【００２３】
このＭＣＰＡ６内には、第２の傾斜検出手段、例えば傾斜センサ３０が設けられている。この傾斜センサ３０によって検出された傾斜角度を表す傾斜信号は、Ａ／Ｄ変換器４５によってデジタル傾斜信号に変換され、制御手段、例えばＣＰＵ３２に供給される。このＣＰＵ３２も、ＭＣＰＡ６内に設けられている。ＣＰＵ３２は、傾斜センサ３０からＡ／Ｄ変換器４０を介して供給されるデジタル傾斜信号が、基準傾斜と異なるか、例えば予め定めた第２傾斜許容範囲から外れているか判定し、この第２許容傾斜範囲内から外れている場合、第２報知信号を出力する。
【００２４】
この第２傾斜許容範囲も、第１傾斜許容範囲と同様に、送信アンテナ８の基準角度、受信アンテナ２の受信許容下限傾斜角度に対応する送信アンテナ８の送信許容下限傾斜角度、受信アンテナ２の受信許容上限傾斜角度に対応する送信アンテナ８の送信許容上限傾斜角度とが設定される。送信アンテナ８の基準角度と送信許容下限角度との間に第２傾斜許容下限角度が設定され、送信アンテナ８の基準角度と送信許容上限角度との間に第２傾斜許容上限角度とが設定され、これら傾斜許容上限角度と傾斜許容下限角度とによって第２傾斜許容範囲が設定されている。従って、傾斜センサ３０の傾斜信号が第２許容傾斜範囲から外れるようにＭＣＰＡ６自体が傾斜した場合、または傾斜センサ３０からの傾斜信号が第２許容傾斜範囲から外れるように支柱２４が傾斜し、その結果、送信アンテナ８及びＭＣＰＡ６も大きく傾斜した場合、ＣＰＵ３２が第２報知信号を発生する。
【００２５】
ＣＰＵ３２には、リファレンススイッチ３４が設けられており、送信アンテナ８及びＭＣＰＡ６の設置が終了した時点で、リファレンススイッチ３４を操作することによって、その操作されたときの傾斜センサ３０の傾斜信号が第２基準角度信号としてＣＰＵ３２に付属する記憶手段、例えばメモリ（図示せず）に記憶される。この第２基準角度信号を基に、第２傾斜許容下限角度と第２傾斜許容上限角度とが自動的に設定される。
【００２６】
ＣＰＵ３２は、第２報知信号を、Ｄ／Ａ変換器４６を介してアナログ化して、送信手段、例えばＦＭ送信機３６に供給する。これによってＦＭ送信機３６は、内蔵する可聴周波数減からの第２可聴周波数信号で、所定の周波数の搬送波をＦＭ変調し、ＭＣＰＡ６に内蔵するＦＭアンテナ３８から送信する。これによって、上記所定の搬送波の周波数が受信可能なＦＭ受信機によって第２可聴周波数信号が受信復調されて、送信アンテナ８及びＭＣＰＡ６側で傾斜異常が生じていることを、ＦＭ受信機の聴取者が認識できる。
【００２７】
なお、ＣＰＵ１６が第１報知信号を発生している場合、第１報知信号は、分波器２６で分波された光信号から復調部４４で復調されて、ＣＰＵ３２に供給される。この場合も、ＣＰＵ３２は、この第１報知信号をＦＭ送信機３６に供給する。その結果、ＦＭ送信機３６に内蔵する可聴周波数信号源の第１可聴周波数信号で、上記所定周波数の搬送波をＦＭ変調し、ＦＭアンテナ３８から送信される。これによって、上記所定の搬送波の周波数が受信可能なＦＭ受信機によって第１可聴周波数信号が受信復調されて、受信アンテナ２及びヘッドアンプ４側で傾斜異常が生じていることを、ＦＭ受信機の聴取者が認識できる。
【００２８】
なお、第１及び第２報知信号が同時に発生する場合には、第１及び第２可聴周波数信号双方によって搬送波が変調されて、送信される。
【００２９】
このように傾斜センサ１４をヘッドアンプ４に、傾斜センサ３０をＭＣＰＡ６に設置し、これら傾斜センサ１４、３０によって検出された支柱１０、２４の傾斜が、傾斜センサ１４、３０それぞれに対応して定めた基準傾斜に基づく許容傾斜範囲から外れたとき、その旨をＦＭ受信機によって把握することができる。従って、例えば災害などによって傾斜が生じているが、まだ受信障害が生じていない時点で、傾斜が生じていることを把握することができ、円滑に復旧を行うことができる。
【００３０】
上記の実施形態では、傾斜センサ１４からの傾斜信号が第１傾斜許容範囲外のときに第１報知信号を生成したが、例えば傾斜センサ１４からの傾斜信号が表す角度が受信許容上限傾斜角度よりも大きくなった場合や、受信許容下限傾斜角度よりも小さくなった場合、報知信号を生成するように構成することもできる。同様に、傾斜センサ３０からの傾斜信号が表す角度が送信許容上限角度よりも大きくなった場合や、送信許容下限角度よりも小さくなった場合、報知信号を生成するように構成したりすることもできる。
【００３１】
上記の実施形態では、傾斜センサ１４、３０をヘッドアンプ４、ＭＣＰＡ６それぞれの内部に設けたが、これは傾斜センサ１４、３０及びＣＰＵ１６、３２に対する防水に、ヘッドアンプ本体１２、ＭＣＰＡ本体２８への防水を流用するためであるが、傾斜センサ１４、３０に対する防水を独自に行う場合には、傾斜センサ１４及びＣＰＵ１６を支柱１０または受信アンテナ２に、傾斜センサ３０及びＣＰＵ３２を支柱２４または送信アンテナ８に直接に取り付けることもできる。或いは、ＣＰＵ１６、３２は、ヘッドアンプ４、ＭＣＰＡ６内に設置し、傾斜センサ１４のみを支柱１０または受信アンテナ２に、傾斜センサ３０のみを支柱２４または送信アンテナ８に直接に取り付けることもできる。また、ヘッドアンプ４内に傾斜センサ１４を設置し、ＭＣＰＡ６内に傾斜センサ３０を設置した上で、受信アンテナ２に別の傾斜センサを設置し、送信アンテナ８にまた別の傾斜センサを設置することもできる。
【００３２】
上記の実施形態では、ヘッドアンプ４、ＭＣＰＡ６に傾斜センサ１４、３０を設けたが、ヘッドアンプ４、ＭＣＰＡ６のいずれか一方のみに傾斜センサを設けることもできる。上記の実施形態では、ヘッドアンプ４と受信アンテナ２とを支柱１０に、ＭＣＰＡ６と送信アンテナ８とを支柱２４に設けたが、１つの支柱に受信アンテナ２、送信アンテナ８、ヘッドアンプ４、ＭＣＰＡ６を設けることもできる。この場合、ヘッドアンプ４、ＭＣＰＡ６を一体に構成することができ、この一体に構成したものの筐体内に傾斜センサを設けることができる。
【００３３】
上記の実施形態では、ヘッドアンプ４とＭＣＰＡ６とを設けたが、例えばＭＣＰＡ６のみを設けることもできる。また、上記の実施形態では、ＦＭ送信機３６を使用したが、これに限ったものではなく、ＡＭ送信機を使用することもできるし、或いは、ＦＭ送信機３６に代えて携帯電話機の送信部を設け、特定の電話機に対して第１及び（または）第２の報知信号に基づく信号を送信し、特定の電話機において第１及び（または）第２の報知信号に基づく音声信号を受信可能にすることもできる。
【００３４】
上記の実施形態では、受信アンテナ２で受信した地上デジタルテレビジョン放送信号をヘッドアンプ４、ＭＣＰＡ６で増幅して、送信アンテナ８から送信したが、例えばＭＣＰＡ６内において、地上デジタルテレビジョン放送信号を周波数変換してから増幅して、送信アンテナ８から送信することもできる。上記の実施形態では、混合器２０から出力された合成信号を光信号に変換して、光ファイバ２２によって伝送したが、合成信号をそのまま同軸ケーブルによって伝送することもできる。この場合、電気−光変換器４２、光−電気変換器４３は不要である。上記の実施形態では、受信アンテナ２で地上デジタル放送信号を受信したが、これに限ったものではなく、受信アンテナ２で例えばＦＭラジオ放送信号を受信することもできる。
【符号の説明】
【００３５】
２  受信アンテナ
４  ヘッドアンプ（処理手段）
６  ＭＣＰＡ（処理手段）
８  送信アンテナ
１４  ３０  傾斜センサ
【図１】
2012075029.tif 000003
【図２】
2012075029.tif 000004
【図３】
2012075029.tif 000005